(57)【要約】【課題】  デジタルカメラに格納された文書フォーマットに、撮影した画像データを結合し、さらに外部機器より、文書データを修正／加筆することの出来る文書作成システム及びデジタルカメラを提供する。【解決手段】  画像データ取得可能な機器のメモリ上に画像が付加された文書データを作成する手段と、前記機器内部の文書データを外部機器から補正する手段と、補正された文書データを外部機器に出力する手段を有することを特徴とする。【選択図】        図１
2006268326.tif 000002
【特許請求の範囲】
【請求項１】
画像データ取得可能な機器のメモリ上に画像が付加された文書データを作成する手段と、前記機器内部の文書データを外部機器から補正する手段と、補正された文書データを外部機器に出力する手段を有することを特徴とする、文書作成システム。
【請求項２】
デジタルカメラにおいてデジタルカメラのメモリに文書データを格納する手段、デジタルカメラ内で撮影した画像と文書データを結合する手段、文書データを外部機器より変更する手段、結合された画像と文書データを外部機器に送出する手段を有することを特徴とするデジタルカメラ。
【発明の詳細な説明】
【技術分野】
【０００１】
本発明は、文書画像を送信する手段を有する文書作成システム及びデジタルカメラに関する。
【背景技術】
【０００２】
従来、例えば特許文献１において、作業現場の画像を取得し、作業状況を効率よく開示するシステムが開示されている。前記従来例において、カメラに文書テンプレートをダウンロードし、カメラで撮影した画像データに対し、カメラ内部でテンプレートＩＤを埋め込み、サーバ側でテンプレートＩＤを埋め込まれた画像データを取得し画像とテンプレートＩＤを関連付けて記憶している。
【特許文献１】特開２００３−３０３２１９号公報
【発明の開示】
【発明が解決しようとする課題】
【０００３】
工事現場作業報告など出先から報告を送付する場合、文書に画像情報を付加した報告文書を簡便に作成したい。又、報告文書の改ざん保証を実現したい。ここで、報告文書の改ざん保証とは文書データに付加された画像が撮影時のまま変更されない状態で、送信することを保証するものである。
【０００４】
本発明は、上述の問題点に着目してなされたものであって、デジタルカメラに格納された文書フォーマットに、撮影した画像データを結合し、さらに外部機器より、文書データを修正／加筆することの出来る文書作成システム及びデジタルカメラを提供することを目的とする。
【課題を解決するための手段】
【０００５】
デジタルカメラが広範に普及し、コンビニエンス・ショップでのカラー複写機（ＭＦＰシステム１）も手軽に利用できる環境ができている。
【０００６】
本発明は前記課題を解決するために、こうした環境を有効に利用して、デジタルカメラに格納された文書フォーマットに、撮影した画像データを結合し、さらに外部機器より、文書データを修正／加筆する手段を有することを特徴とする。
【０００７】
さらに詳しくは、次の手段を有する。
【０００８】
１．文書管理サーバ５から報告文書のフォーマットデータをデジタルカメラ４のメモリカードに記憶する手段
２．前記フォーマットと対になる暗号鍵（共通鍵）を文書管理サーバで生成し、デジタルカメラ４内部に記憶する手段
３．デジタルカメラで撮影した画像に、報告文書への貼り付け位置付与する手段
４．報告文書確認プリントを行う手段
５．報告文書プリントへの所定事項書き込みを行い、ＭＦＰシステム１で報告文書をスキャンし、手書き部分を抽出しカメラの文書修正する手段
６．文書管理サーバから与えられた、暗号鍵（共通鍵）で、報告文書を暗号化し文書管理サーバに送信する手段
７．文書管理サーバ５から送信側（ＭＦＰシステム１）に受信情報（報告文書番号）返信し、送信側で受信確認プリントする手段
上記手段により、報告文書のフォーマットデータをカメラのメモリに格納してあるため、撮影した画像が結合された報告文書を作業現場の近傍にあるコンビニアンスストアのＭＦＰシステム１でプリントして確認できる。さらに、報告文書プリントに、手書きで必要事項を加筆しスキャナで読み取って、カメラ内部の報告文書データを修正できる。さらに報告文書データとカメラ画像とを結合して、改ざん保証した形態でデータを文書管理サーバ５に送る事ができる。
【０００９】
すなわち本発明は、画像データ取得可能な機器のメモリ上に画像が付加された文書データを作成する手段と、前記機器内部の文書データを外部機器から補正する手段と、補正された文書データを外部機器に出力する手段を有することを特徴とする。
【発明の効果】
【００１０】
本発明によれば、報告文書のフォーマットデータをデジタルカメラのメモリに格納してあるので、出先のパブリックプリントにて内容確認ができる。さらにプリントに対して加筆して後、パブリックスキャナーでＳｃａｎしデジタルカメラ内部の文書データを修正／加筆することができる。又、デジタルカメラ機器側で画像撮影時に報告文書への貼り付け位置を指定できるため、パブリックスキャナーを用いた文書データ送信時の煩雑な指定が不要となる。
【００１１】
又、ＭＦＰシステム１から文書化管理サーバ５に送出した、報告文書データと同一のデータがメモリカードに存在しているおり、データの保全及び証拠能力をシステムとして高い状態に保持できる。
【００１２】
又、ＭＦＰシステム１から文書化管理サーバ５に送出されるデータは、撮影時の画像データからの画像劣化がない状態で構成することができる。
【００１３】
又、デジタルカメラ４内部で保持されている報告文書は、デジタルカメラ４で撮影した画像と結合された状態で、デジタルカメラ４内部で暗号化された後、外部に送出されるため、報告文書データに付加された画像が撮影時のまま変更されない状態で、送信することを保証する事ができる。
【発明を実施するための最良の形態】
【００１４】
以下本発明を実施するための最良の形態を、実施例により詳しく説明する。
【実施例】
【００１５】
本実施例では、ユーザがコンビニエンスストアなどに設置されているプリンタ、スキャナ機能などを搭載したマルチファンクションシステム（ＭＦＰシステム１）を利用して、インターネットなどの通信網上に存在する文書管理サーバ５へ電子データを送付することを前提に説明を行う。
【００１６】
図１は、本発明の一実施例の形態におけるシステムの概要を示す概略図である。
【００１７】
図１において、１はコンビニエンスストアなどに設置されているマルチファンクションシステム（以下ＭＦＰシステム１）、５はＭＦＰシステム１から送信される報告文書を管理する文書管理サーバ５、６はインターネットなどの通信網、４はユーザが使用しているデジタルカメラである。
【００１８】
前記コンビニエンスストアなどに設置されているＭＦＰシステム１は、プリンタ、スキャナ、またはコピー機能をもつＭＦＰ３、２のＣＲＴモニタなど構成されている。
【００１９】
図２は本発明のデジタル複写機１００の構成を示す側断面図である。
【００２０】
図２において、２００は原稿画像を読み取るイメージリーダ部２０１と、イメージリーダ部２０１で読み取った画像データを再現するプリンタ部２０２とに大きく分けられる。
【００２１】
イメージリーダ部２０１は、４００ｄｐｉ（ｄｏｔｓ／ｉｎｃｈ）の解像度で原稿を読み取り、デジタル信号処理を行う部分である。プリンタ部２０２は、イメージリーダ部２０１によって読み取られた原稿画像に対応した画像を４００ｄｐｉの解像度で指定用紙にフルカラープリント出力する部分である。
【００２２】
イメージリーダ部２０１において、原稿台ガラス（以下、プラテン）２０３上の原稿２０４は、ランプ２０５で照射され、ミラー２０６，２０７，２０８に導かれ、レンズ２０９によって、集光された光を電気信号に変換する３ラインセンサ（以下、ＣＣＤ）２１０上に像を結び、フルカラー情報レッド（Ｒ）、グリーン（Ｇ），ブルー（Ｂ）成分として信号処理部２１１に送られる。
【００２３】
なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。
【００２４】
信号処理部２１１においては、読み取られた画像信号を電気的に処理し、マゼンタ（Ｍ），シアン（Ｃ），イエロー（Ｙ），ブラック（Ｂｋ）の各成分に分解し、プリンタ部２０２に送る。
【００２５】
また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。
【００２６】
２１８は回転現像器であり、マゼンタ現像部２１９、シアン現像部２２０、イエロー現像部２２１、ブラック現像部２２２より構成され、４つの現像部が交互に感光ドラム２１７に接し、感光ドラム上に形成された潜像現像をトナーで現像する。２２３は転写ドラムであり、用紙カセツト２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニツト２２６を通過して、トナーが用紙に定着された後に排紙される。
【００２７】
図３はＭＦＰ３における、紙などの記録媒体に印字を行うプリンタ部の電気信号を処理する部分の構成を詳細に示したものである。
【００２８】
３０１はＣＰＵで、プリンタの各部の制御を行うためのものである。３０２はＲＡＭであり前記ＣＰＵが演算した結果や、プリンタが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。
【００２９】
３０５はＩ／Ｏバスであり、機能拡張用の内部Ｂｕｓである。３０６は前記ローカルバスとＩ／Ｏバスを接続するためのブリッジ回路である。３０７はプリンタ部で、紙などの記録媒体に画像を形成するための部分である。電子写真方式やバブルジェット（登録商標）（Ｒ）方式など様々な形式のプリンタ部が存在する。
【００３０】
３０８はプリンタインターフェース部であり、前記プリンタ部とＩ／Ｏバスを接続するためのものであり、ＣＰＵの指示に従って３０２のＲＡＭに格納されている画像データを３０７のプリンタ部へ転送することが可能である。３０９はハードディスクドライブであり、画像データのスプールを行ったり、３０１のＣＰＵが様々の処理を行うためのプログラムなどを格納させておくためのものである。３１１はネットワークインターフェースコントローラであり、３１２はイメージプロセッシングユニット（以下ＩＰＵ）であり、解像度変換などの画像処理を行うためのものである。３１３はラスタイメージプロセッサであり、３０１のＣＰＵの指示により、３１１のネットワークインターフェース回路を経由して外部から転送されたページ記述言語の画像データをビットマップ画像へ展開し、３０２のＲＡＭへ展開したビットマップデータを格納するために使用される。
【００３１】
３１４はビデオＲＡＭで、ＣＰＵにより外部のＣＲＴやＬＣＤパネルに表示した表示データが書き込まれるものである。３１５はビデオインターフェースであり、ＶＲＡＭに格納されている表示データを外部のＣＲＴやＬＣＤパネルに表示するためのインターフェースをするためのものである。
【００３２】
３１６は拡張Ｉ／Ｏインターフェースであり、例えば携帯機器などと３０１のＣＰＵが通信などを行うためのインターフェース回路である。通信形態はシリアル通信や、バイセントロインターフェース、またはＢｌｕｅｔｏｏｔｈなどの無線通信などの形式がある。
【００３３】
図４はＭＦＰ３における、スキャナ部の電気信号を処理する部分の構成を詳細に示したものである。
【００３４】
４０１はＣＰＵで、スキャナの各部の制御を行うためのものである。４０２はＲＡＭであり前記ＣＰＵが演算した結果や、スキャナが読み込んだ画像データなどを一時的に記憶しておくためのものである。４０３はＲＯＭであり、前記ＣＰＵが動作するためのプログラムなどが格納されている。４０４は、前記ＣＰＵ、ＲＡＭ、ＲＯＭが接続されているローカルバスである。４０５はＩ／Ｏバスであり、機能拡張用の内部Ｂｕｓである。４０６は前記ローカルバスとＩ／Ｏバスを接続するためのブリッジ回路である。４０７はスキャナ部で、不図示の原稿台に置かれた原稿から読み取った光学的な信号を、ＣＣＤなどを用いて電子データに変換し、その電子データを転送するための部分である。４０８はスキャナインターフェース部であり、前記スキャナ部とＩ／Ｏバスを接続するためのものであり、ＣＰＵの指示に従って、前記スキャナから転送される原稿を読み取った電子データを、４０２のＲＡＭに転送することが可能である。
【００３５】
４１０はネットワークインターフェースコントローラであり、図１の６に示したネットワークへ接続するために使用される。４０９は、イメージプロセッシングユニット（以下ＩＰＵ）であり、解像度変換などの画像処理を行うためのものである。４１１は拡張Ｉ／Ｏインターフェースであり、例えば携帯機器などと４０１のＣＰＵが通信などを行うためのインターフェース回路である。通信形態はシリアル通信や、バイセントロインターフェース、またはＢｌｕｅｔｏｏｔｈなどの無線通信などの形式がある。
【００３６】
前述した図１のＭＦＰは、６に示されるインターネットなどの通信網に接続することが可能である。
【００３７】
６のインターネットなどの通信網上には、文書管理を行う、文書サーバ５が接続されている。
【００３８】
図５は本発明の一実施例において、ユーザがコンビニエンスストアなどに設置されている図１のＭＦＰシステム１を使用して、インターネットなどの通信網６上で接続されている文書管理サーバ５に対し報告文書を送付する動作の概略を説明する為のものである。
【００３９】
以下、ステップはＳと示す。
【００４０】
図５において、Ｓ５０１〜Ｓ５０３は文書管理サーバ５の内部ＣＰＵの動作を説明しているフローチャートである。
【００４１】
Ｓ５０１において、デジタルカメラに装着することが可能なメモリカード６１０に、報告文書のフォーマットデータ及び、暗号鍵（共通鍵）を格納する。
【００４２】
Ｓ５０２において、ＭＦＰシステム１から送られてくる暗号化された報告文書データを、文書管理サーバ５内部の記憶装置に格納する。
【００４３】
Ｓ５０３において、ＭＦＰシステム１から送られてきた報告文書データのハッシュ値を計算しＭＦＰシステム１に送出する。本実施例においては、ハッシュ値の演算アルゴリズムはＭＤ５を用いる。
【００４４】
Ｓ５１１〜Ｓ５１５は、ＭＦＰシステム１のスキャナの内部ＣＰＵ４０１の処理を説明しているフローチャートである。
【００４５】
Ｓ５１１において、デジタルカメラ４よりおくられてきた報告文書をプリントする。
【００４６】
Ｓ５１２において、プリントされた報告文書にユーザは手書きで、氏名／報告内容等必要な文書を書き込んだ後、ＭＦＰシステム１のスキャナで原稿データを読み取り、Ｓ５１１でプリントした際のデータと比較照合し、手書き修正／加筆部を抽出し、デジタルカメラ４に送出する。
【００４７】
Ｓ５１３において、デジタルカメラ４より送られてきた報告文所データを、文書管理サーバ５に送出する。
【００４８】
Ｓ５１４において、文書管理サーバ５およびデジタルカメラ４より送られてきた、改ざん検出符号（ハッシュ値）を照合し、報告文書を正常に受領した旨を示すプリントＳ５１５を印刷する。
【００４９】
Ｓ５２０〜Ｓ５２６はデジタルカメラ４のＣＰＵ６０６の処理を説明しているフローチャートである。
【００５０】
Ｓ５２０において、メモリカード６１０に格納されている暗号鍵（共通鍵）を本体のＲＡＭ６０７に格納し、メモリカード６１０上の暗号鍵（共通鍵）を消去する。
【００５１】
Ｓ５２１において、撮影画像データを取り込む。
【００５２】
Ｓ５２２において、デジタルカメラで撮影した画像データの報告文書への貼り付け位置を、ユーザはＬＣＤ表示部６０４を利用して、操作ボタン６０５を操作して指定する。
【００５３】
Ｓ５２３において、撮影画像が貼り付けられた報告文書データを５２０で取得した暗号鍵で暗号化しメモリカード６１０に格納する。
【００５４】
Ｓ５２４において、報告文書の手書き修正／加筆データを、メモリカード６１０の報告文書データに反映させ、再度メモリカード６１０に暗号化データとして再格納する。
【００５５】
Ｓ５２５において、メモリカード６１０の報告文書データを送出する。
【００５６】
Ｓ５２６において、メモリカード６１０の報告文書データのハッシュ値を計算しＭＦＰシステム１に送出する。
【００５７】
図６はデジタルカメラ４の概略を示したブロック図である。デジタルカメラ４は、ＬＣＤの表示部６０４、および操作部６０５が接続されており、また画像撮影部６０２およびメモリカード６１０をもつ。６０１には、機器全体の制御を行うためのＣＰＵ６０６が搭載されており、またＣＰＵが動作するための一時記憶としてＲＡＭ６０７が接続されている。
【００５８】
またＲＯＭ６０９が搭載されており、機器を識別するためのＩＤ情報などが記憶されている。ＲＯＭ６０９は、ＲＯＭＩ／Ｆ６０８を介してＣＰＵと接続されており、必要に応じてＲＯＭ６０９の部分だけを脱着可能な構成となっている。
【００５９】
また携帯機器端末には６０３に示される外部拡張Ｉ／Ｆがあり、例えば赤外線通信などの無線Ｉ／Ｆを取り付けることにより、ほかの機器との通信も可能であり、また本実施例においては、ＭＦＰ１と接続し、情報を送受信するためのＩ／Ｆとして使用できるものである。
【００６０】
また外部拡張Ｉ／Ｆには、ＩＣカードなどを取り付けることも可能であり、個人情報やユーザが使用する情報などを、内部のＲＯＭ６０９やＲＡＭ６０７ではなく、ＩＣカードへ記憶させることも可能である。
【図面の簡単な説明】
【００６１】
【図１】報告文書管理システムの概略図である。
【図２】ＭＦＰの概略図である。
【図３】プリンタの電気処理部の詳細説明図である。
【図４】スキャナの電気処理部の詳細説明図である。
【図５】報告文書作成手続きを説明するフローチャートである。
【図６】デジタルカメラの内部構成の説明図である。
【符号の説明】
【００６２】
１  コンビニＭＦＰシステム
２  モニタ
３  ＭＦＰ
４  デジタルカメラ
５  文書管理サーバ
６  通信網
【図１】
2006268326.tif 000003
【図２】
2006268326.tif 000004
【図３】
2006268326.tif 000005
【図４】
2006268326.tif 000006
【図５】
2006268326.tif 000007
【図６】
2006268326.tif 000008